【事件の表示】
　平成１０年特許願第２０５０５６号「アクティブマトリックス型液晶表示装置及びその駆動方法」拒絶査定不服審判事件〔平成１２年　２月　２日出願公開、特開２０００−　３５５９３〕について、次のとおり審決する。
【結　論】
　本件審判の請求は、成り立たない。
【理　由】
第１．手続の経緯
平成１０年　７月２１日　特許出願
平成１５年　４月　２日　拒絶理由通知
平成１５年　６月　３日　手続補正
平成１５年　７月　２日　拒絶査定
平成１５年　８月　７日　審判請求
平成１５年　９月　８日　手続補正
　
第２．補正後の発明
　平成１５年９月８日付けの手続補正は、
（１）特許請求の範囲の請求項１及び請求項２の「アクティブマトリックス型液晶装置」という記載を「アクティブマトリックス型液晶
表示
（２）特許請求の範囲の請求項１及び請求項２の「前記走査配線の方向に隣り合う画素電極
が
は
（３）特許請求の範囲の請求項１及び請求項２の「前記共通電極配線
の電位を変調することによって、
、
には
変調信号が供給される
（４）特許請求の範囲の請求項４の「互いに異なる共通電極配線
への変調電圧の極性が互いに逆である
には、極性が互いに異なる変調電圧が供給される
と補正するものであり、いずれも出願当初の明細書段落【００２５】ないし【００２６】及び【００３０】ないし【００３１】並びに【図３】及び【図５】の記載に基づくものであり、特許法第１７条の２第３項の規定に適合するとともに、（１）及び（２）の補正は誤記の訂正に該当し、（３）及び（４）の補正は「物の発明」としての本願発明をより明確に規定するように補正するものであるから不明りょうな記載の釈明に該当し、いずれも、特許法第１７条の２第４項の規定に適合する。
　また、明細書段落【００１５】ないし【００１６】を上記（３）、（４）と同様に変更する補正は、特許法第１７条の２第３項の規定に適合する。
　
第３．本願の請求項に係る発明
　以上のとおり、平成１５年９月８日付けの手続補正は、補正の要件に適合するものであるから、本願の請求項に係る発明は、平成１５年６月３日及び平成１５年９月８日付け手続補正書で補正された明細書及び図面の記載からみて、特許請求の範囲の請求項１ないし６に記載された事項により特定されるとおりのものであるところ、その請求項１に係る発明は下記のものである（以下「本願発明」という。）。
　
　　　　　　　　　　　　　　　　記
　
【請求項１】マトリックス状に配置された複数の信号配線と走査配線、これらの配線の交差点のそれぞれに対応して形成されたスイッチング素子、前記複数の走査配線のそれぞれに対応して形成された共通電極配線、前記スイッチング素子に接続され前記共通電極配線と櫛状に噛み合うように形成された画素電極、及び前記画素電極と前記共通電極配線との間に形成された付加容量がアレイ基板に設けられ、前記アレイ基板に対向して対向基板が配置され、前記アレイ基板と前記対向基板との間に液晶層が挟持され、前記両基板の外部に二枚の偏光板が配置され、前記画素電極と前記共通電極配線との間に、前記アレイ基板に対して略平行な電界を発生させることによって液晶分子の配列を変化させるアクティブマトリックス型液晶表示装置であって、
　前記走査配線の方向に隣り合う画素電極は、同一の共通電極配線との間に付加容量を形成すると共に、互いに異なる走査配線で制御されるスイッチング素子に接続され、
　前記共通電極配線には、前記付加容量を介して前記画素電極の電位を変調する変調信号が供給されることを特徴とするアクティブマトリックス型液晶表示装置。
　
第４．引用例の記載
　原査定の拒絶の理由に引用され、本願の出願前に頒布された、特開平１０−１８６４０５号公報（以下「引用例」という。）には、各図とともに以下の事項が記載されている。
　
（１）「【請求項１】少なくとも一方が透明な一対の基板と、前記一対の基板間に挟持された液晶層を有する液晶表示装置において、
　前記一対の基板のうち一方の基板には、この基板に対して支配的に平行な電界が印加される電極構造が形成され、この電極構造は、複数の走査配線と、これらの走査配線にマトリクス状に形成された複数の信号配線と、これらの信号配線と前記複数の走査配線とのそれぞれの交点に対応して形成された複数のアクティブ素子に接続された複数の画素電極と、前記複数の走査配線の間に形成された複数の共通配線とを有し、
　前記複数の信号配線と前記複数の走査配線とで囲まれる領域で複数の画素が構成され、
　それらの画素には、対応するそれぞれの共通配線に接続された少なくとも一本の対向電極が形成され、
　前記走査配線方向に隣接する画素間で、それぞれの画素電極は異なった共通配線との間で補助容量を形成することを特徴とする液晶表示装置。」
（２）「【０００１】【発明の属する技術分野】本発明はアクティブマトリクス型液晶装置に関する。
【０００２】【従来の技術】薄膜トランジスタ（ＴＦＴ）に代表されるアクティブ素子を用いたアクティブマトリクス型液晶表示装置は薄い，軽量という特徴とブラウン管に匹敵する高画質という点から、ＯＡ機器などの表示端末として広く普及しはじめている。このアクティブマトリクス型液晶表示装置として現在普及しているものは、全て、液晶層を駆動する電極として２枚の基板界面上に形成し相対向させた透明電極を用いる方式のものである。一方、この方式のアクティブマトリクス型液晶表示装置より低負荷容量、及び広視野角の特徴を持つ方式として、同一基板上に２つの電極を櫛歯状に構成し、液晶に印加する電界の方向を基板界面にほぼ平行な方向とする方式がある。こちらの方式については例えば、特公昭63−21907号に記載されている。」
（３）「【００１１】［実施例１］
　図１に本実施例におけるアクティブマトリクス型液晶表示装置のＴＦＴ側基板の構造を示す。
【００１２】走査配線１０２と信号配線１０３が格子状に配置されており、その交点にそれぞれの配線を端子として、薄膜トランジスタ１２０が構成されている。薄膜トランジスタ１２０のもう一つの端子は画素電極１０５に接続されており、対向電極１０６との間の液晶層に電圧を印加するためのスイッチとなっている。そして対向電極１０６は走査配線１０２と並列構造になっている共通配線１０４に接続されている。
【００１３】ここで、１本の走査配線１０２に薄膜トランジスタ１２０を介して接続されている画素電極１０５は、走査配線１０２に沿った１画素毎に、走査配線１０２の両側に千鳥模様に配置されている。例えば、画素電極１０５ａは走査配線１０２の下側に配置されており、次の画素電極１０５ｂは走査配線１０２の上側に配置されている。この時、画素電極１０５ａに対応する対向電極１０６ａは共通配線１０４ａに接続されており、画素電極１０５ｂに対応する対向電極１０６ｂは別の共通配線１０４ｂに接続されている。
【００１４】このような構成においては、ある走査配線１０２を選択して、その走査配線に接続されている画素群に表示データを書き込む場合、書き込まれている画素群は１列に並んでいるのではなく、該走査配線を挟んで１画素毎の千鳥配列となる。
　また、対向電極へ電圧を供給するために共通配線を流れる電流は２本の共通配線（１０４ａと１０４ｂ）に２分されるため、共通配線１０４への負荷が小さく、電圧歪みが少なくなるために、横スミアや横輝度傾斜を低減することができる。さらに、共通配線への負荷が減ることは、共通配線を細くして高抵抗にしても画質が劣化しないことになるため、共通配線の線幅を細くすることで、開口率を向上することができる。
【００１５】次に図２に図１のＡ−Ａ′線における液晶パネルの断面図を示す。
【００１６】下側基板１００や上側基板２００は、厚みが０.７mmで表面を研磨した透明なガラス板１０１，２０１を基板としている。下側基板１００には図１で示したような、信号配線１０３，画素電極１０５，対向電極１０６があり、それらを隔てるＳｉＮ層１０９や配線保護のための保護層１１２がある。
【００１７】また、もう一つのガラス板２０１には、コントラストを向上させるために画素電極１０５と対向電極１０６の間以外の隙間から光がもれないように低導電性の遮光層（ブラックマトリクス）２０２を形成し、その上にカラー表示のための赤（Ｒ），緑（Ｇ），青（Ｂ）の３色のカラーフィルタ２０３をストライプ状に形成した。さらにカラーフィルタ上には表面を平坦化する平坦化透明樹脂膜２０４を積層し、上側基板２００とした。
【００１８】これら２つの基板の内側最表面に配向膜１５０，２５０を形成し、ラビング処理した後、基板間に液晶組成物３００を封入する。また、外側最表面を２枚の偏光板１７０，２７０で挟み、液晶表示パネルを構成する。本実施例では配向膜として、ポリイミドを使用した。上下界面上のラビング方向はお互いにほぼ平行で、かつ印加電場方向とのなす角度を８５度とした。上下基板のギャップは球状のポリマビーズを基板間に分散して挟持し、液晶封入状態で４.５μｍとした。封入した液晶組成物３００は誘電率異方性Δεが正で値が７.３(１ｋＨｚ）であり、複屈折Δｎが０.０７２(５８９ｎｍ，２０℃）のネマチック液晶組成物である。よって、Δｎ・ｄは０.３２４μｍである。２枚の偏光板のうち、一方の偏光板の偏光透過軸をラビング方向とほぼ平行（８５度）とし、他方をそれに直行（−５度）とした。これにより画素電極１０５と対向電極１０６との間に電圧を印加した時、低電圧で暗状態，高電圧で明状態となるノーマリークローズ特性を得られる。透過光強度は画素電極１０５と対向電極１０６との間にガラス板101と平行になるような電場Ｅを発生させることで、液晶組成物３００内の液晶分子３０１の配向状態を制御して変調する。」
（４）「【００２１】次に図４に図１のＣ−Ｃ′線における下側基板１００の断面図を示す。
【００２２】これは補助容量１３０の断面図となっている。補助容量１３０は共通配線104と画素電極１０５とでＳｉＮ層１０９を挟む構成となっている。この上に保護層１１２があり、他に下側基板１００としては配向膜１５０と偏光板１７０も含む。
【００２３】次に、本実施例の駆動方法を述べる。図５に本実施例のアクティブマトリクス型液晶表示装置におけるＴＦＴ基板側構造である図１の等価回路を示す。１本の走査配線１０２に対して、対応する共通配線は２本（１０４ａ，１０４ｂ）あり、信号配線も２種類（１０３ａ，１０３ｂ）ある。走査配線と信号配線に囲まれた画素内には薄膜トランジスタ１２０と補助容量１３０、及び、液晶を容量としてみた液晶容量１４０がある。ここで液晶容量１４０と補助容量１３０は平行容量となっており、これが画素電極１０５に接続されている容量のほぼ全てとなっている。また、図６に本実施例のシステム構成を示す。本実施例では、画像信号発生源４０５からの表示用データ及び表示タイミング制御信号がコントローラ４０１によって、本実施例の液晶表示装置用の表示用データとタイミング制御信号に変換される。次に、この表示用データとタイミング制御信号及び、電源回路４０２より供給された駆動電圧を元にして、表示信号出力回路４０４と垂直走査回路４０３は走査電圧と信号電圧を生成して、それぞれ走査配線１０２、及び信号配線１０３を通して液晶表示パネル４００に供給する。
【００２４】なお、画像信号発生源４０５からの表示用データは通常、１ライン書き込み型でデータ転送されている。つまり、１画素分の表示データが１ライン分転送された後に次のラインの表示データが転送される手順になっている。コントローラ４０１は、特に、この１ライン書き込み型データ配列を本実施例における千鳥配置書き込み型データ配列に入れ替える機能も持っている。図７にこのデータ配列の変換前と変換後の概念図を示す。本実施例においては、ある走査配線を選択したときに書き込まれる画素が１画素毎の千鳥配列になっているため、データ配列も千鳥配置状にする必要があるため、このような変換が必要となる。」
（５）「【００２５】次に、図８に本実施例における駆動電圧波形を示す。図８（ａ）に、ある１本の走査配線（例えば図５の走査配線１０２）に印加される走査電圧Ｖgate1を示す。また、図８(ｂ)には、ある１本の共通配線(同じく図５の共通配線１０４ａ)に印加される共通電圧Ｖcom1、及び、図８（ｃ）に、前記の共通配線の隣にある別の共通配線（同、図５の共通配線１０４ｂ）に印加される共通電圧Ｖcom2を示す。また、図８（ｄ）には、共通電圧Ｖcom1が印加されている共通配線を持つ画素の信号配線（同、図５の信号配線１０３ａ）に印加される信号電圧Ｖd1、及び、図８（ｅ）には、前記信号配線の隣にある別の信号配線（同、図５の信号配線１０３ｂ）に印加されている信号電圧Ｖd2を示す。また、図８（ｆ）と(ｇ)にはそれぞれ信号電圧Ｖd1及び、Ｖd2が印加されている画素の画素電極電圧Ｖs1及びＶs2を、図８（ｈ）と（ｉ）にはそれぞれの画素において液晶層に印加される電圧ＶLC1及び、ＶLC2を示す。
【００２６】走査電圧Ｖgate1は選択電圧ＶgHと非選択電圧ＶgLで構成され、選択電圧を印加している時間は例えば２５μｓで、印加周期も同じく１６.６ｍｓ程度とする。共通電圧Ｖcom1及び、Ｖcom2は共通Ｈｉ電圧ＶcHと共通Ｌｏ電圧ＶcLで構成され、それぞれの電圧を印加している時間はＶgate1の１周期と同じ時間である。また、Ｖcom1とＶcom2はお互い異なる電圧が印加されている(位相がずれている)。信号電圧Ｖd1、及び、Ｖd2は走査電圧Ｖgate1が選択電圧ＶgHになった時、それぞれ共通電圧Ｖcom1及びＶcom2を基準とした液晶印加電圧ＶLCを液晶に印加すべくＶcom1orＶcom2±ＶLCに設定される。液晶印加電圧値ＶLCは前述のようにノーマリークローズ特性であることから、例えば、黒表示時はＶLCoff＝０Ｖであり、白表示時はＶLCon＝１２Ｖとなる。中間調表示時にはその間の値をとる。また、±ＶLCとあるのは、液晶に印加する電圧を交流化するためである。例えばＶd1はＶcom1＝ＶcHの時、ＶcH−ＶLCの値をとり、Ｖcom1＝ＶcLの時、ＶcL＋ＶLCの値をとる。また、薄膜トランジスタをオン状態からオフ状態にするときに生じる画素電圧Ｖsの変動量ΔＶsを考慮すると、この値だけ電圧を上げるため、それぞれＶcH−ＶLC＋ΔＶｓ、及びＶcL＋ＶLC＋ΔＶｓとなる。
【００２７】また、Ｖd1とＶd2は、基準となるＶcom1とＶcom2が異なるＶcom値であることから、お互いに逆極性の液晶印加電圧値に設定されることになる。さらに、次の走査配線が選択されたときにも基準となるＶcom値が変化することから、時間に対しても極性を反転させることになる。
【００２８】これらの印加信号により、それぞれの画素における画素電極の電位は、Ｖgate1が選択電圧ＶgHから非選択電圧ＶgLに変化した直後に、ＶcHまたはＶcLを基準としてそれぞれ−ＶLCまたは＋ＶLCの電位となり、Ｖgate1が次に選択電圧ＶgHになるときまでの１６.６ｍｓの時間、その電圧が保持されることになる。また、実際に液晶に印加されている電圧（ＶLC1またはＶLC2）は、それぞれの画素電極電位（Ｖs1またはＶs2）とそれぞれの対向電極電位＝共通配線電位（Ｖcom1またはＶcom2）との差電圧となっている。この電圧に依存して液晶は光を変調し、画素の明るさを決定する。」
（６）「【００２９】信号配線に印加する電圧によっては、液晶印加電圧の保持期間中に、信号配線との容量結合によって、対向電極電位＝共通配線電位が変化してしまう場合がある。これにより画素電極に保持されている電荷の再配分が生じても、液晶容量と補助容量のどちらもが共通配線と接続しているために、液晶電圧（ＶLC1またはＶLC2)はほとんど変化しない。上記２つの容量が別の配線に接続している場合、どちらかの配線の電圧が変化してしまうと、電荷の再配分による液晶電圧の変化量は大きく、縦スミアや横スミアなどの表示不良となってしまうが、本実施例では上記のような保持期間中の共通配線電圧変動による縦スミアや横スミアの発生を低減できる。」
（７）摘記事項（１）ないし（５）とともに図１からは「走査配線１０２の方向に隣り合う画素電極１０５は、同一の共通配線１０４との間に補助容量１３０を形成すると共に、互いに異なる走査配線１０２で制御される薄膜トランジスタ１２０に接続され」ている構成が見てとれる。
　
　したがって、引用例には以下の発明（以下「引用発明」という）が記載されていると認められる。
　
「格子状に配置された複数の信号配線１０３と走査配線１０２、これらの配線の交点にそれぞれの配線を端子として形成された薄膜トランジスタ１２０、前記複数の走査配線１０２と並列構造になっている共通配線１０４、前記共通配線１０４に接続された対向電極１０６、前記薄膜トランジスタ１２０に接続され、前記対向電極１０６と櫛歯状に配列するように形成された画素電極１０５、及び、前記画素電極１０５と前記共通配線１０４との間に形成された補助容量１３０がガラス板１０１に設けられ、前記ガラス板１０１に対向してガラス板２０１が配置され、前記ガラス板１０１と前記ガラス板２０１との間に液晶組成物３００が挟持され、前記両ガラス板の外部に偏光板１７０及び偏光板２７０が配置され、前記画素電極１０５と前記対向電極１０６との間に、前記ガラス板１０１と平行になるような電場Ｅを発生させることによって液晶分子３０１の配向状態を制御するアクティブマトリクス型液晶表示装置であって、
　走査配線１０２の方向に隣り合う画素電極１０５は、同一の共通配線１０４との間に補助容量１３０を形成すると共に、互いに異なる走査配線１０２で制御される薄膜トランジスタ１２０に接続され、
　共通配線１０４には、共通電圧が供給されるアクティブマトリクス型液晶表示装置」
　
第５．対比
　本願発明と引用発明を対比すると以下のとおりである。
（１）引用発明の「格子状」「信号配線１０３」「走査配線１０２」「交点」「薄膜トランジスタ１２０」「画素電極１０５」「補助容量１３０」「ガラス板１０１」「ガラス板２０１」「液晶組成物３００」「偏光板１７０及び偏光板２７０」「電場Ｅ」「液晶分子３０１」「配向状態」及び「アクティブマトリクス型液晶表示装置」は、それぞれ、本願発明の「マトリックス状」「信号配線」「走査配線」「交差点」「スイッチング素子」「画素電極」「付加容量」「アレイ基板」「対向基板」「液晶層」「二枚の偏光板」「電界」「液晶分子」「配列」及び「アクティブマトリックス型液晶表示装置」に相当する。
（２）引用発明の共通配線１０４及び対向電極１０６を併せた構成は、本願発明の共通電極配線に相当する。
（３）引用発明は「これらの配線の交点にそれぞれの配線を端子として形成された薄膜トランジスタ１２０」の構成を有するから、引用発明は、本願発明の「これらの配線の交差点のそれぞれに対応して形成されたスイッチング素子」に相当する構成を有する。
（４）引用発明は「複数の走査配線１０２と並列構造になっている共通配線１０４、前記共通配線１０４に接続された対向電極１０６」の構成を有するから、引用発明は、本願発明の「複数の走査配線のそれぞれに対応して形成された共通電極配線」に相当する構成を有する。
（５）引用発明は「対向電極１０６と櫛歯状に配列するように形成された画素電極１０５」の構成を有するから、引用発明は、本願発明の「共通電極配線と櫛状に噛み合うように形成された画素電極」に相当する構成を有する。
　なお「櫛状に噛み合う」という構成は、字句上は、一方の電極の歯が他方の電極の切り込みに入り込んでいる構成を意味すると解される。しかし、このように解すると本願発明の画素電極は「櫛状に噛み合う」ものとはいえない（図１）。他方、ＩＰＳ液晶の動作原理を考慮すれば、「櫛状に噛み合う」という構成は一方の電極の歯が他方の電極の歯を挟むように平行に配置されている構成を意味するといえる。
　この意味で、前記の通り、引用発明は本願発明の「共通電極配線と櫛状に噛み合うように形成された画素電極」に相当する構成を有するといえる。
　なお、仮にそうでないとしても「櫛状に噛み合う」電極構造は周知であり、特公昭６３−２１９０７号公報等に記載されている。
（６）引用発明の「ガラス板１０１と平行になるような電場Ｅを発生させることによって液晶分子３０１の配向状態を制御させる」構成は、本願発明の「アレイ基板に対して略平行な電界を発生させることによって液晶分子の配列を変化させる」に相当する。
（７）引用発明の「共通電圧」と本願発明の「変調電圧」はともに、画素電極との間に電界を発生させるために共通電極配線に供給される「信号」という点で同じである。
　
　したがって、本願発明と引用発明とは、
「マトリックス状に配置された複数の信号配線と走査配線、これらの配線の交差点のそれぞれに対応して形成されたスイッチング素子、前記複数の走査配線のそれぞれに対応して形成された共通電極配線、前記スイッチング素子に接続され前記共通電極配線と櫛状に噛み合うように形成された画素電極、及び前記画素電極と前記共通電極配線との間に形成された付加容量がアレイ基板に設けられ、前記アレイ基板に対向して対向基板が配置され、前記アレイ基板と前記対向基板との間に液晶層が挟持され、前記両基板の外部に二枚の偏光板が配置され、前記画素電極と前記共通電極配線との間に、前記アレイ基板に対して略平行な電界を発生させることによって液晶分子の配列を変化させるアクティブマトリックス型液晶表示装置であって、
　前記走査配線の方向に隣り合う画素電極は、同一の共通電極配線との間に付加容量を形成すると共に、互いに異なる走査配線で制御されるスイッチング素子に接続され、
　前記共通電極配線には、信号が供給されるアクティブマトリックス型液晶表示装置」
　の点で一致し、以下の点で相違する。
　
（相違点）
　共通電極配線に供給される信号に関し、本願発明は、前記付加容量を介して前記画素電極の電位を変調する変調信号が供給されるのに対し、引用発明の信号は、前記付加容量を介して前記画素電極の電位を変調する変調信号ではない点。
　
第６．判断
　引用発明と本願発明の共通電極配線に供給される信号は、走査電圧や信号電圧とともに液晶を駆動する駆動電圧波形である点で同じである。そこで、引用発明の駆動方法について検討すると、引用例には、
「【００２６】・・・共通電圧Ｖcom1及び、Ｖcom2は共通Ｈｉ電圧ＶcHと共通Ｌｏ電圧ＶcLで構成され、それぞれの電圧を印加している時間はＶgate1の１周期と同じ時間である。また、Ｖcom1とＶcom2はお互い異なる電圧が印加されている(位相がずれている)。信号電圧Ｖd1、及び、Ｖd2は走査電圧Ｖgate1が選択電圧ＶgHになった時、それぞれ共通電圧Ｖcom1及びＶcom2を基準とした液晶印加電圧ＶLCを液晶に印加すべくＶcom1orＶcom2±ＶLCに設定される。液晶印加電圧値ＶLCは前述のようにノーマリークローズ特性であることから、例えば、黒表示時はＶLCoff＝０Ｖであり、白表示時はＶLCon＝１２Ｖとなる。中間調表示時にはその間の値をとる。また、±ＶLCとあるのは、液晶に印加する電圧を交流化するためである。例えばＶd1はＶcom1＝ＶcHの時、ＶcH−ＶLCの値をとり、Ｖcom1＝ＶcLの時、ＶcL＋ＶLCの値をとる。また、薄膜トランジスタをオン状態からオフ状態にするときに生じる画素電圧Ｖsの変動量ΔＶsを考慮すると、この値だけ電圧を上げるため、それぞれＶcH−ＶLC＋ΔＶｓ、及びＶcL＋ＶLC＋ΔＶｓとなる。
【００２７】また、Ｖd1とＶd2は、基準となるＶcom1とＶcom2が異なるＶcom値であることから、お互いに逆極性の液晶印加電圧値に設定されることになる。さらに、次の走査配線が選択されたときにも基準となるＶcom値が変化することから、時間に対しても極性を反転させることになる。
【００２８】これらの印加信号により、それぞれの画素における画素電極の電位は、Ｖgate1が選択電圧ＶgHから非選択電圧ＶgLに変化した直後に、ＶcHまたはＶcLを基準としてそれぞれ−ＶLCまたは＋ＶLCの電位となり、Ｖgate1が次に選択電圧ＶgHになるときまでの１６.６ｍｓの時間、その電圧が保持されることになる。また、実際に液晶に印加されている電圧（ＶLC1またはＶLC2）は、それぞれの画素電極電位（Ｖs1またはＶs2）とそれぞれの対向電極電位＝共通配線電位（Ｖcom1またはＶcom2）との差電圧となっている。この電圧に依存して液晶は光を変調し、画素の明るさを決定する。」
と記載されているから、引用発明の駆動方法は、本願発明の駆動方法と同様に、信号電圧の極性を反転する駆動方法であり、かつ、信号配線から画素への供給電圧の低減が図れるように各電極の駆動波形を構成したものといえる。
　そうしてみると、共通電極配線に供給される信号に関し、本願発明と引用発明の実質的な相違点は、共通電極配線に供給される信号がスイッチング素子がオフの期間に変化するかしないかの点であるといえる。
　しかしながら、信号電圧の極性を反転する駆動方法であり、かつ、信号配線から画素への供給電圧の低減が図れるように各電極の駆動波形を構成した液晶表示装置において、薄膜トランジスタがオフの期間に画素電極の電位を変調するものは周知であって、例えば、特開平８−２４８３８７号公報、特開平７−１０４２４６号公報、特開平２−７７７２２号公報、特開平１０−１２３４８２号公報、特開平２−１５７８１５号公報、特開平５−１０７５５７号公報に記載されている。
　そうしてみれば、引用発明における対向電極（共通配線）に印加される変調信号の電位変化のタイミングを薄膜トランジスタ１２０がオフの期間とし、本願発明のアクティブマトリックス型液晶表示装置の構成とすることは、変調信号を発生させるための駆動回路を設計するに際して適宜採用しうるものといえる。
　また、このようにしてなる効果について、当業者が予測し得ないような顕著なものはない。
　
第７．むすび
　以上のとおり、本願発明は引用例に記載された発明及び周知技術に基づいて当業者が容易に発明をすることができたものであるから、特許法第２９条第２項の規定により特許を受けることができない。
　よって結論のとおり審決する。